【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
デュアルモード調節型−非調節型眼内レンズ（デュアルモードＡＤ−ＩＯＬ）であって、
形状記憶を有する複数の閉じたループのハプティックを含むハプティック・システムと、
前方視嚢および後方視嚢を含む形状シフトするフレキシブルなオプティックであって、２つの視嚢のそれぞれは、融合区域を含み、２つの視嚢の前記融合区域は合わさって融合され、それによりそれらの間に眼胞を画定し、前記眼胞は、流体で満たされ、（i）前記ハプティックが前記オプティックに取り付けられ、前記ハプティックの動作が前記オプティックの形状を変更することを可能にし、（ii）前記形状シフトするフレキシブルなオプティックが８ｍｍ以下の直径を有し、（iii）休止状態である前記デュアルモードＡＤ−ＩＯＬは、前記ハプティック・システムの形状記憶および前記フレキシブルなオプティックの形状シフトする能力の少なくとも１つの結果として完全に遠近調節された構成の状態にある、形状シフトするフレキシブルなオプティックと、
前記遠近調節された構成と比較した場合に、前記ＡＤ−ＩＯＬの遠近調節されていない構成において、より平らな角度およびより大きな直径の少なくとも１つの状態に前記ハプティックを固定するような大きさで且つそのように固定するように構成された拘束用構成要素とを含む、デュアルモードＡＤ−ＩＯＬ。
【請求項２】
前記閉じたループのハプティックが、台形およびＴ字形状の少なくとも１つである、請求項１に記載のデュアルモードＡＤ−ＩＯＬ。
【請求項３】
オプティック・リングを更に含み、
前記オプティック・リングが前記ハプティックを互いに且つ前記オプティックに接続する、請求項１に記載のデュアルモードＡＤ−ＩＯＬ。
【請求項４】
前記ハプティックは、前記融合区域において前記オプティックに埋め込まれている各ハプティックの部分により、前記オプティックに取り付けられる、請求項１に記載のデュアルモードＡＤ−ＩＯＬ。
【請求項５】
各閉じたループのハプティックが、前記ＡＤ−ＩＯＬの非遠近調節中に毛様小帯の張力により生成された半径方向の引く力を前記オプティックに伝達するために適合されるように構成されている、請求項１に記載のデュアルモードＡＤ−ＩＯＬ。
【請求項６】
各閉じたループのハプティックが、前記ＡＤ−ＩＯＬの遠近調節中に、設定された形状に戻るために適合されるように構成されている、請求項１に記載のデュアルモードＡＤ−ＩＯＬ。
【請求項７】
前記拘束用構成要素は、ハプティック又はオプティック・リング上に配置された拘束用タブ、ハプティック部分により画定された拘束用穴、オプティックの融合区域においてオプティックにより画定された拘束用穴、ハプティック・アーム上のクロスバー、拘束用リング、及び縫合糸からなるグループから選択される、請求項１に記載のデュアルモードＡＤ−ＩＯＬ。
【請求項８】
前記オプティックの前方視嚢と後方視嚢との間に埋め込まれたリング形状プレートを更に含む、請求項１に記載のデュアルモードＡＤ−ＩＯＬ。
【請求項９】
前記閉じたループのハプティックのそれぞれが、第１の接続特徴要素を含み、前記オプティックは、前記第１の接続特徴要素と係合するように適合された第２の接続特徴要素を含む、請求項１に記載のデュアルモードＡＤ−ＩＯＬ。
【請求項１０】
前記閉じたループのハプティックのそれぞれが、前記オプティックの軸方向シフト及び形状シフトに寄与するように設定された形状である、請求項１に記載のデュアルモードＡＤ−ＩＯＬ。
【請求項１１】
前記ハプティック・システムが、少なくとも２つのオプティック・リングを含み、各オプティック・リングは、２つの閉じたループのハプティックを含み、前記オプティック・リングは、前記デュアルモードＡＤ−ＩＯＬをインジェクタに装填することを容易にするためにそのプロファイルを低減するように、前記オプティックの上に配置されて且つ近接したオプティック・リングの前記ハプティックの上に第１のオプティック・リングの前記ハプティックを重ねて回転するように構成されている、請求項１に記載のデュアルモードＡＤ−ＩＯＬ。
【請求項１２】
少なくとも１つの閉じたループのハプティックが、半径方向セグメント、及び前記半径方向セグメント上に配置され、前記オプティックの一部を圧縮するように構成されたパドルを含む、請求項１に記載のデュアルモードＡＤ−ＩＯＬ。
【請求項１３】
少なくとも前記オプティック及び前記ハプティック・システムの遠近調節の記憶または非遠近調節の記憶の合計が、１グラム重量未満である、請求項１に記載のデュアルモードＡＤ−ＩＯＬ。
【請求項１４】
前記前方視嚢および後方視嚢が、結合材料でもって融合され、前記融合区域は、余分な結合材料を受容するように構成されたチャネルを画定する、請求項１に記載のデュアルモードＡＤ−ＩＯＬ。
【請求項１５】
前記フレキシブルなオプティックの形状の変化が、眼胞の表面積対前記眼胞の体積の比を変化させ、前記ハプティック・システムが、前記比の変化を調節するためにサイズ及び形状を変化させる、請求項１に記載のデュアルモードＡＤ−ＩＯＬ。
【請求項１６】
前記視嚢の１つが、乱視矯正を含む一定の屈折力を担う厚い剛性の光学区域を含み、前記厚い剛性の光学区域の厚さは、２００μｍ〜５００μｍ（ミクロン）の範囲から選択され、当該厚さは、前記厚い剛性の光学区域に近接して配置された屈曲区域の厚さより大きい、請求項１に記載のデュアルモードＡＤ−ＩＯＬ。
【請求項１７】
前記視嚢の１つが、中央光学区域に近接して配置されたより薄くてより容易に曲げられる屈曲区域を含む、請求項１に記載のデュアルモードＡＤ−ＩＯＬ。
【請求項１８】
前記眼胞は、形状記憶を有する、請求項１に記載のデュアルモードＡＤ−ＩＯＬ。
【請求項１９】
前記ハプティック・システムが、ＩＯＬ投入システム内に収まるように適合されている、請求項１に記載のデュアルモードＡＤ−ＩＯＬ。
【請求項２０】
デュアルモード調節型−非調節型眼内レンズ（デュアルモードＡＤ−ＩＯＬ）を移植するための方法であって、
ＡＤ−ＩＯＬを準備するステップであって、前記ＡＤ−ＩＯＬが、
形状記憶を有する複数の閉じたループのハプティックを含むハプティック・システムと、
前方視嚢および後方視嚢を含む形状シフトするフレキシブルなオプティックであって、２つの視嚢のそれぞれは、融合区域を含み、２つの視嚢の前記融合区域は合わさって融合され、それによりそれらの間に眼胞を画定し、前記眼胞は、流体で満たされ、（i）前記ハプティックが前記オプティックに取り付けられ、前記ハプティックの動作が前記オプティックの形状を変更することを可能にし、（ii）前記形状シフトするフレキシブルなオプティックが８ｍｍ以下の直径を有し、（iii）休止状態である前記デュアルモードＡＤ−ＩＯＬは、前記ハプティック・システムの形状記憶および前記フレキシブルなオプティックの形状シフトする能力の少なくとも１つの結果として完全に遠近調節された構成の状態にある、形状シフトするフレキシブルなオプティックと、
前記遠近調節された構成と比較した場合に、前記ＡＤ−ＩＯＬの遠近調節されていない構成において、より平らな角度およびより大きな直径の少なくとも１つの状態に前記ハプティックを固定するような大きさで且つそのように固定するように構成された拘束用構成要素とを含む、ステップと、
前記ＡＤ−ＩＯＬを患者の眼へ移植するステップと、
眼の水晶体嚢が前記ハプティックを介して融合することを可能にするステップと、
前記ハプティックをそれらの間で半径方向切断を行なうことにより解放するステップとを含み、前記半径方向切断が、眼の繊維化した水晶体嚢の剛性において解放の所望量を生成するために画定された距離にわたって、眼の水晶体前嚢のエッジから眼の水晶体嚢の赤道の方へ延びている、方法。